(57)【要約】【課題】液晶素子の劣化を低減し、再生や記録の品質の劣化を低減することができる光ディスク装置を提供する。【解決手段】起動時のアクセス動作開始前のフォーカスサーボ中や再生一時停止時のフォーカスサーボ中は、アクセス動作時および再生時よりも小さな駆動信号で液晶素子５を駆動させる。【選択図】図１
2007234147.tif 000002
【特許請求の範囲】
【請求項１】
光源と、対物レンズと、前記光源から前記対物レンズまでの光路の途中に設けられる液晶素子と、液晶駆動手段と、フォーカスサーボ手段とを備え、アクセス動作および再生を行うような光ディスク装置において、
アクセス動作および再生のとき、前記フォーカスサーボ手段は、前記光源から射出され前記液晶素子を通過し前記対物レンズにより集光されディスクで反射された光ビームに基づきフォーカスエラー信号を生成し、該フォーカスエラー信号に基づき前記対物レンズをフォーカス方向に駆動させ、前記液晶駆動手段は、前記液晶素子を第一の駆動信号で駆動させ、
アクセス動作および再生以外の動作の少なくとも一つのとき、前記フォーカスサーボ手段は、前記光源から射出され前記液晶素子を通過し前記対物レンズにより集光され前記ディスクで反射された光ビームに基づきフォーカスエラー信号を生成し、該フォーカスエラー信号に基づき前記対物レンズをフォーカス方向に駆動させ、前記液晶駆動手段は、前記液晶素子を前記第一の駆動信号よりも小さい第二の駆動信号で駆動させる、
ことを特徴とする光ディスク装置。
【請求項２】
アクセス動作および再生以外の動作の少なくとも一つのときに前記フォーカスサーボ手段は、オフセット補正された前記フォーカスエラー信号に基づき前記対物レンズをフォーカス方向に駆動させ、前記フォーカスエラー信号が最大値と最小値との中間値になるよう制御される、ことを特徴とする請求項１に記載の光ディスク装置。
【請求項３】
アクセス動作および再生のときに前記フォーカスサーボ手段が前記対物レンズをフォーカス方向に駆動中、前記光源は再生用のパワーで光ビームを射出し、
アクセス動作および再生以外の動作の少なくとも一つのときに前記フォーカスサーボ手段が前記対物レンズをフォーカス方向に駆動中、前記光源は再生用のパワーよりも大きなパワーで光ビームを射出する、ことを特徴とする請求項１または請求項２に記載の光ディスク装置。
【発明の詳細な説明】
【技術分野】
【０００１】
本発明は、光ディスク装置に関する。
【背景技術】
【０００２】
光ディスク装置においては、光源から射出された光ビームが対物レンズによりディスク上に集光されデータの再生や記録が行われる。このとき、対物レンズの特性によりディスク上に球面収差が発生し、再生や記録の品質が劣化するという問題があった。
【０００３】
そこで、従来から光ディスク装置には、球面収差を補正するために液晶素子が備えられる。液晶素子により、ディスク上の球面収差を小さくでき、再生や記録の品質を向上させることができる。なお、液晶素子を備えた光ディスク装置については、例えば、特許文献１や特許文献２に開示されている。
【特許文献１】特開平８−２７８４７７号公報
【特許文献２】特開２００３−１９６８８０号公報
【発明の開示】
【発明が解決しようとする課題】
【０００４】
しかし、液晶素子を備えた光ディスク装置では、光ディスク装置の使用により液晶素子が駆動され続けると液晶素子が劣化し、球面収差が大きくなり、再生や記録の品質が劣化するという問題がある。
【０００５】
本発明は上記問題点を鑑み、液晶素子の劣化を低減し、再生や記録の品質の劣化を低減することができる光ディスク装置を提供することを目的とする。
【課題を解決するための手段】
【０００６】
上記目的を達成するために本発明の光ディスク装置は、光源と、対物レンズと、前記光源から前記対物レンズまでの光路の途中に設けられる液晶素子と、液晶駆動手段と、フォーカスサーボ手段とを備え、アクセス動作および再生を行うような光ディスク装置において、
アクセス動作および再生のとき、前記フォーカスサーボ手段は、前記光源から射出され前記液晶素子を通過し前記対物レンズにより集光されディスクで反射された光ビームに基づきフォーカスエラー信号を生成し、該フォーカスエラー信号に基づき前記対物レンズをフォーカス方向に駆動させ、前記液晶駆動手段は、前記液晶素子を第一の駆動信号で駆動させ、
アクセス動作および再生以外の動作の少なくとも一つのとき、前記フォーカスサーボ手段は、前記光源から射出され前記液晶素子を通過し前記対物レンズにより集光され前記ディスクで反射された光ビームに基づきフォーカスエラー信号を生成し、該フォーカスエラー信号に基づき前記対物レンズをフォーカス方向に駆動させ、前記液晶駆動手段は、前記液晶素子を前記第一の駆動信号よりも小さい第二の駆動信号で駆動させる、
ことを特徴としている。
【０００７】
このような構成によれば、アクセス動作および再生以外の動作の少なくとも一つのときに液晶素子の駆動信号を小さくすることで、液晶素子の劣化を低減し、再生や記録の品質の劣化を低減することができる。
【０００８】
また、本発明の光ディスク装置は、アクセス動作および再生以外の動作の少なくとも一つのときに前記フォーカスサーボ手段は、オフセット補正された前記フォーカスエラー信号に基づき前記対物レンズをフォーカス方向に駆動させ、前記フォーカスエラー信号が最大値と最小値との中間値になるよう制御される、ことを特徴としている。
【０００９】
このような構成によれば、外乱があってもフォーカスエラー信号が最大値または最小値に達しフォーカスサーボが外れることが起こりにくくなり、アクセス動作および再生以外の動作の少なくとも一つのときのフォーカスサーボを安定化することができる。
【００１０】
また、本発明の光ディスク装置は、アクセス動作および再生のときに前記フォーカスサーボ手段が前記対物レンズをフォーカス方向に駆動中、前記光源は再生用のパワーで光ビームを射出し、
アクセス動作および再生以外の動作の少なくとも一つのときに前記フォーカスサーボ手段が前記対物レンズをフォーカス方向に駆動中、前記光源は再生用のパワーよりも大きなパワーで光ビームを射出する、ことを特徴としている。
【００１１】
このような構成によれば、アクセス動作および再生以外の動作の少なくとも一つのときに液晶素子の駆動信号を小さくしたことによるフォーカスエラー信号の振幅の低下を抑え、フォーカスサーボを安定化することができる。
【発明の効果】
【００１２】
本発明の光ディスク装置によれば、液晶素子の劣化を低減し、再生や記録の品質の劣化を低減することができる。
【発明を実施するための最良の形態】
【００１３】
以下、本発明の実施形態について図面を参照し説明する。図１は、本発明に係る光ディスク装置の構成を示すブロック図である。
【００１４】
光ピックアップ２は、対物レンズ３、アクチュエータ４、液晶素子５、ハーフミラー６、ＬＤ（レーザダイオード）７、受光部８、パワーモニタ部９を有する。ＬＤ７が射出したレーザビームはハーフミラー６を通過し、液晶素子５に入射する。
【００１５】
液晶素子５は、再生時、記録時、アクセス動作時等に駆動される。液晶素子５は、電極間に液晶が挟まれた構造であり、液晶駆動制御部１８により電極にパルス状のＰＷＭ信号が印加される。液晶素子５は、印加されるＰＷＭ信号の平均レベルで応答し、入射されるレーザビームの位相を変化させ、対物レンズ３により集光するレーザビームの球面収差を変化させる。例えば、一方の電極に印加されるＰＷＭ信号の平均レベルが２Ｖで、もう一方の電極に印加されるＰＷＭ信号の平均レベルが１Ｖである場合、これら平均レベルの差１Ｖが液晶素子５の駆動信号となる。
【００１６】
液晶素子５で位相が変化させられたレーザビームは対物レンズ３によりディスク１上に集光される。アクチュエータ４は、対物レンズ３をフォーカス方向（ディスク１の面に垂直方向）およびトラッキング方向（ディスク１の半径方向）に駆動する。ディスク１で反射したレーザビームは対物レンズ３、液晶素子５を通過し、ハーフミラー６で反射し、受光部８で受光される。受光部８は、受光したレーザビームを電流信号に変換し、ＲＦアンプ１０およびパワーモニタ部９に送出する。パワーモニタ部９は、受光部８からの電流信号に基づきレーザパワーを検出する。
【００１７】
ＲＦアンプ１０は、受光部８からの電流信号に基づきフォーカスエラー信号、トラッキングエラー信号、反射光量信号、ＲＦ信号を生成し、フォーカスエラー信号および反射光量信号をフォーカス制御部１１に、トラッキングエラー信号および反射光量信号をトラッキング制御部１２に送出する。
【００１８】
フォーカス制御部１１は、フォーカスエラー信号を反射光量信号で除してフォーカスエラー信号を正規化し、正規化されたフォーカスエラー信号を後述するようなオフセット補正信号によりオフセット補正をし、オフセット補正されたフォーカスエラー信号を０とするような駆動信号をオフセット補正されたフォーカスエラー信号に基づき生成し、駆動信号をアクチュエータ４に送出する。なお、フォーカス制御部１１がオフセット補正しないよう設定される場合は、正規化されたフォーカスエラー信号を０とするような駆動信号を正規化されたフォーカスエラー信号に基づき生成し、駆動信号をアクチュエータ４に送出する。アクチュエータ４は、フォーカス制御部１１からの駆動信号により対物レンズ３をフォーカス方向に駆動させる。
【００１９】
トラッキング制御部１２は、トラッキングエラー信号を反射光量信号で除してトラッキングエラー信号を正規化し、正規化されたトラッキングエラー信号を０とするように駆動信号をアクチュエータ４に送出する。アクチュエータ４は、トラッキング制御部１２からの駆動信号により対物レンズ３をトラッキング方向に駆動させる。
【００２０】
また、ＲＦアンプ１０は、ＲＦ信号およびトラッキングエラー信号をマイコン１５に送出する。マイコン１５は、ＲＦ信号に基づき再生データを生成し出力する。また、マイコン１５は、後述するアクセス動作時にトラッキングエラー信号を参照する。
【００２１】
ＬＤ制御部１４は、パワーモニタ部９からのレーザパワー検出信号とマイコン１５からのレーザパワー目標信号とを比較し、レーザパワーが目標値となるようＬＤドライバ１３に制御信号を送出する。そして、ＬＤドライバ１３は制御信号に基づきＬＤ７に駆動信号を送出し、ＬＤ７は駆動信号に基づきレーザビームを射出する。また、ディスク１へのデータ記録時は、マイコン１５は入力される記録データに基づく変調信号をＬＤドライバ１３に送出し、ＬＤドライバ１３は変調信号に基づきパルス状の駆動信号をＬＤ７に送出し、ＬＤ７はパルス発光し、ディスク１にデータが記録される。
【００２２】
また、スレッドモータ１６は、スレッドモータドライバ１７からの駆動信号により駆動され、光ピックアップ２をディスク１の半径方向に移動させる。
【００２３】
以上のような構成の光ディスク装置において、ディスクがＣＤである場合の起動時の動作を以下図２に示すフローチャートに沿って説明する。
【００２４】
まず、ステップＳ２０で、ディスク１が光ディスク装置に挿入されると、ディスク１は不図示のターンテーブルに固定され、不図示のスピンドルモータにより回転を開始する。
【００２５】
そして、ステップＳ２１で、マイコン１５は、液晶駆動制御部１８に待機信号を送出する。液晶駆動制御部１８は待機信号を受信すると、待機用のＰＷＭ信号を液晶素子５に送出開始する。
【００２６】
待機用のＰＷＭ信号は次のように設定される。まず、テスト用の光ディスク装置において、ＬＤから再生用のレーザパワーでディスクにレーザビームを照射し、正規化されたフォーカスエラー信号を０とするようなフォーカスサーボおよび正規化されたトラッキングエラー信号を０とするようなトラッキングサーボを行った状態で、液晶素子に印加するＰＷＭ信号を変化させながらジッタを測定する。そして、測定されたジッタが最小になったときのＰＷＭ信号を非待機用のＰＷＭ信号として設定する。この非待機用のＰＷＭ信号は後述するアクセス動作時および再生時に用いられる。
【００２７】
次に、テスト用の光ディスク装置において、ＬＤから再生用のレーザパワーでディスクにレーザビームを照射し、上記と同様にフォーカスサーボおよびトラッキングサーボを行った状態で、上記非待機用のＰＷＭ信号に対応する液晶素子の駆動信号から駆動信号が序々に小さくなるようＰＷＭ信号を変化させてゆく。すると、フォーカスサーボの安定性が悪化してゆき、あるところでフォーカスサーボが外れる。正規化されたフォーカスエラー信号は図３のようにいわゆるＳ字形状をしており、フォーカスサーボ中に正規化されたフォーカスエラー信号が最大値または最小値になるとフォーカスサーボが外れる。上記のように液晶素子の駆動信号を小さくしてゆくと、球面収差が大きくなるため、正規化されたフォーカスエラー信号の振幅が小さくなり、フォーカスサーボ中に外乱のため正規化されたフォーカスエラー信号が最大値または最小値になりやすくなり、フォーカスサーボの安定性が悪化する。そして、フォーカスサーボが外れたときの駆動信号からマージン分大きな駆動信号に対応するＰＷＭ信号を待機用のＰＷＭ信号として設定する。つまり、待機用の液晶素子の駆動信号はフォーカスサーボが外れない程度に非待機用よりも小さく設定される。また、液晶素子の駆動信号を０としてもフォーカスサーボが外れない場合は、駆動信号が０となるようなＰＷＭ信号を待機用として設定してもよい。なお、以上の非待機用および待機用のＰＷＭ信号の設定は製品毎に行われてもよい。
【００２８】
また、上記ステップＳ２１で、マイコン１５は、フォーカス制御部１１に待機信号を送出する。フォーカス制御部１１は待機信号を受信すると、正規化されたフォーカスエラー信号をオフセット補正するためのオフセット補正信号として、待機用のオフセット補正信号を選択する。
【００２９】
待機用のオフセット信号は次のように設定される。テスト用の光ディスク装置において、ＬＤから再生用のレーザパワーでディスクにレーザビームを照射し、液晶素子に上記で設定された待機用のＰＷＭ信号を印加し、フォーカスサーボはオフとした状態で、対物レンズをフォーカス方向に移動させながら正規化されたフォーカスエラー信号を測定し、測定されたフォーカスエラー信号の最大値と最小値との中間値を待機用のオフセット補正信号として設定する。なお、本設定は製品毎に行われてもよい。
【００３０】
上記で設定された待機用のＰＷＭ信号を液晶素子に印加すると、液晶素子の駆動信号は非待機用よりも小さいため、球面収差が大きくなり、正規化されたフォーカスエラー信号の振幅は小さくなり、さらに、正規化されたフォーカスエラー信号の最大値と最小値は図４のように対称でなくなる。そのため、待機用のＰＷＭ信号を液晶素子に印加して、正規化されたフォーカスエラー信号を０とするようにフォーカスサーボを行うと、外乱があった場合にフォーカスエラー信号が最大値と最小値のうち絶対値が小さい方（図４では最大値）に達しやすく、フォーカスサーボの安定性は悪い。そこで、上記のように正規化されたフォーカスエラー信号の最大値と最小値との中間値を待機用のオフセット補正信号として設定し、該オフセット補正信号によってオフセット補正された正規化されたフォーカスエラー信号を０とするようにフォーカスサーボを行うことで、正規化されたフォーカスエラー信号が上記中間値となるようなフォーカス方向の位置（図４中Ｐ）に対物レンズが制御されるので、外乱があった場合でも正規化されたフォーカスエラー信号が最大値または最小値に達しにくくなり、フォーカスサーボを安定化させることができる。
【００３１】
説明を図２のフローチャートに戻し、上記ステップＳ２１の次にステップＳ２２で、マイコン１５は、ＬＤ制御部１４に再生用のレーザパワーを表すレーザパワー目標信号を送出し、ＬＤ制御部１４の制御によりＬＤ７から再生用のレーザパワーでレーザビームが射出される。
【００３２】
そして、ステップＳ２３で、マイコン１５は、フォーカス制御部１１にフォーカスサーボを開始するよう指示し、フォーカス制御部１１は、上記待機用のオフセット補正信号によってオフセット補正された正規化されたフォーカスエラー信号を監視しながらアクチュエータ４により対物レンズ３をフォーカス方向にディスク１へ近づけてゆき、オフセット補正された正規化されたフォーカスエラー信号が０となるとフォーカスサーボをオンとして、オフセット補正された正規化されたフォーカスエラー信号が０となるような駆動信号をオフセット補正された正規化されたフォーカスエラー信号に基づき生成し、駆動信号をアクチュエータ４に送出し、対物レンズ３がフォーカス方向に駆動制御される。ここでのフォーカスサーボは、上記待機用のオフセット補正信号によるオフセット補正により安定化する。
【００３３】
次に、ステップＳ２４で、マイコン１５がフォーカス制御部１１からフォーカスサーボのオン完了を報告されると、マイコン１５はトラッキング制御部１２にトラッキングサーボを開始するよう指示し、トラッキング制御部１２はトラッキングサーボをオンとして、正規化されたトラッキングエラー信号が０となるよう駆動信号をアクチュエータ４に送出し、対物レンズ３がトラッキング方向に駆動制御される。
【００３４】
そして、ステップＳ２５で、マイコン１５がトラッキング制御部１２からトラッキングサーボのオン完了を報告されると、マイコン１５は、液晶駆動制御部１８に非待機信号を送出する。液晶駆動制御部１８は非待機信号を受信すると、上記で設定された非待機用のＰＷＭ信号を液晶素子５に送出開始する。また、マイコン１５は、フォーカス制御部１１に非待機信号を送出する。フォーカス制御部１１は非待機信号を受信すると、正規化されたフォーカスエラー信号をオフセット補正するためのオフセット補正信号として、非待機用のオフセット補正信号を選択する。以降、フォーカス制御部１１は、この非待機用のオフセット補正信号によりオフセット補正された正規化されたフォーカスエラー信号を０とするような駆動信号をオフセット補正された正規化されたフォーカスエラー信号に基づき生成し、駆動信号をアクチュエータ４に送出し、対物レンズ３がフォーカス方向に駆動制御される。
【００３５】
非待機用のオフセット補正信号の設定は光ディスク装置の製品毎に行われる。ＬＤから再生用のレーザパワーでディスクにレーザビームを照射し、上記で設定された非待機用のＰＷＭ信号を液晶素子に印加し、オフセット補正信号によりオフセット補正を行った正規化されたフォーカスエラー信号を０とするようなフォーカスサーボを行い、オフセット補正信号を変化させながらジッタを測定し、ジッタが最小となったときのオフセット補正信号を非待機用のオフセット補正信号として設定する。
【００３６】
上記ステップＳ２５により、ディスクにおけるレーザビームの球面収差が最適化された状態でフォーカスサーボおよびトラッキングサーボが行われる。そして、ステップＳ２６で、マイコン１５がＲＦアンプ１０からのＲＦ信号により現在のアドレスを認識しアクセス動作が開始する。
【００３７】
マイコン１５は、ディスク１の内周に記録されたＴＯＣの再生開始位置を表す目標アドレスと上記で認識された現在のアドレスとに基づき、光ピックアップ２のディスク半径方向の必要な移動量に対応するトラッキングエラー信号のゼロクロス本数である第一の目標ゼロクロス本数を算出する。そして、マイコン１５は、トラッキング制御部１２にトラッキングサーボをオフにするよう指示し、トラッキング制御部１２はトラッキングサーボをオフとする。そして、マイコン１５は、ＲＦアンプ１０からのトラッキングエラー信号のゼロクロス本数を計数しながらスレッドモータドライバ１７を介してスレッドモータ１６に駆動信号を送出し光ピックアップ２をディスク半径方向に移動させる。そして、計数したゼロクロス本数が上記第一の目標ゼロクロス本数に一致すると、マイコン１５は、スレッドモータドライバ１７を介してスレッドモータ１６に駆動信号を送出することを停止し、光ピックアップ２は停止し、トラッキング制御部１２にトラッキングサーボをオンとするよう指示する。
【００３８】
そして、トラッキング制御部１２はトラッキングサーボをオンとして、マイコン１５がＲＦアンプ１０からのＲＦ信号により現在のアドレスを認識する。マイコン１５は、上記目標アドレスと現在のアドレスとに基づき、対物レンズ３のディスク半径方向の必要な移動量に対応するトラッキングエラー信号のゼロクロス本数である第二の目標ゼロクロス本数を算出する。そして、マイコン１５は、トラッキング制御部１２にトラッキングサーボをオフにするよう指示し、トラッキング制御部１２はトラッキングサーボをオフとする。そして、マイコン１５は、ＲＦアンプ１０からのトラッキングエラー信号のゼロクロス本数を計数しながらトラッキング制御部１２を介してアクチュエータ４に駆動信号を送出し対物レンズ３をディスク半径方向に移動させる。そして、計数したゼロクロス本数が上記第二の目標ゼロクロス本数に一致すると、マイコン１５は、トラッキング制御部１２にトラッキングサーボをオンとするよう指示し、トラッキング制御部１２はトラッキングサーボをオンとする。そして、マイコン１５がＲＦ信号により現在のアドレスを認識し、現在のアドレスが上記目標アドレスと一致すればアクセス動作完了となる。もし、一致しなければ、一致するまで対物レンズ３をディスク半径方向にトラック１本ずつ移動させる動作を行い、アクセス動作完了となる。
【００３９】
そして、ステップＳ２７で、マイコン１５は、ＲＦアンプ１０からのＲＦ信号に基づき再生データの生成および出力を開始し、ＴＯＣの再生が開始する。
【００４０】
このように、起動時においてアクセス動作開始よりも前のフォーカスサーボ中は、待機用のＰＷＭ信号が液晶素子に印加され、そのときの液晶素子の駆動信号は、アクセス動作中および再生中に液晶素子に印加される非待機用のＰＷＭ信号に対応した駆動信号よりも小さいため、液晶素子の劣化をなるべく抑え、再生や記録の品質劣化を抑えることができる。
【００４１】
次に、ディスクのトラック再生および一時停止動作について以下図５のフローチャートに沿って説明する。
【００４２】
まず、不図示の操作部においてトラックが指定され再生指示の操作がされると、不図示のスピンドルモータによってディスク１が回転を開始し、ステップＳ５０で、マイコン１５は、液晶駆動制御部１８に非待機信号を送出する。液晶駆動制御部１８は非待機信号を受信すると、上記非待機用のＰＷＭ信号を液晶素子５に送出開始する。また、マイコン１５は、フォーカス制御部１１に非待機信号を送出する。フォーカス制御部１１は非待機信号を受信すると、正規化されたフォーカスエラー信号をオフセット補正するためのオフセット補正信号として、上記非待機用のオフセット補正信号を選択する。
【００４３】
次に、ステップＳ５１で、マイコン１５は、ＬＤ制御部１４に再生用のレーザパワーを表すレーザパワー目標信号を送出し、ＬＤ制御部１４の制御によりＬＤ７から再生用のレーザパワーでレーザビームが射出される。
【００４４】
そして、ステップＳ５２で、マイコン１５は、フォーカス制御部１１にフォーカスサーボを開始するよう指示し、フォーカス制御部１１は、上記非待機用のオフセット補正信号によってオフセット補正された正規化されたフォーカスエラー信号を監視しながらアクチュエータ４により対物レンズ３をフォーカス方向にディスク１へ近づけてゆき、オフセット補正された正規化されたフォーカスエラー信号が０となるとフォーカスサーボをオンとして、オフセット補正された正規化されたフォーカスエラー信号を０とするような駆動信号をオフセット補正された正規化されたフォーカスエラー信号に基づき生成し、駆動信号をアクチュエータ４に送出し、対物レンズ３がフォーカス方向に駆動制御される。
【００４５】
次に、ステップＳ５３で、マイコン１５がフォーカス制御部１１からフォーカスサーボのオン完了を報告されると、マイコン１５はトラッキング制御部１２にトラッキングサーボを開始するよう指示し、トラッキング制御部１２はトラッキングサーボをオンとして、正規化されたトラッキングエラー信号が０となるよう駆動信号をアクチュエータ４に送出し、対物レンズ３がトラッキング方向に駆動制御される。
【００４６】
そして、マイコン１５がトラッキング制御部１２からトラッキングサーボのオン完了を報告されると、ステップＳ５４で、指定されたトラックの再生開始アドレスを目標アドレスとして前述したようなアクセス動作が行われる。
【００４７】
アクセス動作が完了すると、ステップＳ５５で、マイコン１５はＲＦアンプ１０からのＲＦ信号に基づき再生データの生成および出力を開始し、指定されたトラックの再生が開始する。
【００４８】
そして、不図示の操作部において一時停止の操作がされるまでは（ステップＳ５６のＮ）、再生が続行され、一時停止の操作がされると（ステップＳ５６のＹ）、ステップＳ５７に進む。
【００４９】
ステップＳ５７で、マイコン１５は、再生データの生成および出力を停止し、液晶駆動制御部１８に待機信号を送出する。液晶駆動制御部１８は待機信号を受信すると、上記待機用のＰＷＭ信号を液晶素子５に送出開始する。また、マイコン１５は、フォーカス制御部１１に待機信号を送出する。フォーカス制御部１１は待機信号を受信すると、正規化されたフォーカスエラー信号をオフセット補正するためのオフセット補正信号として、上記待機用のオフセット補正信号を選択する。以降、フォーカス制御部１１は、待機用のオフセット補正信号によりオフセット補正された正規化されたフォーカスエラー信号を０とするような駆動信号をオフセット補正された正規化されたフォーカスエラー信号に基づき生成し、駆動信号をアクチュエータ４に送出し、対物レンズ３がフォーカス方向に駆動制御される。
【００５０】
このように再生の一時停止時のフォーカスサーボ中は、待機用のＰＷＭ信号が液晶素子に印加され、そのときの液晶素子の駆動信号は、アクセス動作中および再生中に液晶素子に印加される非待機用のＰＷＭ信号に対応した駆動信号よりも小さいため、液晶素子の劣化をなるべく抑え、再生や記録の品質劣化を抑えることができる。また、待機用のオフセット補正信号によりフォーカスサーボは安定化する。
【００５１】
次に、ディスクがＣＤである場合の起動時の、前述（図２）と別の動作例について以下図６のフローチャートに沿って説明する。
【００５２】
まず、ステップＳ６０で、ディスク１が光ディスク装置に挿入されると、ディスク１は不図示のターンテーブルに固定され、不図示のスピンドルモータにより回転を開始する。
【００５３】
そして、ステップＳ６１で、マイコン１５は、液晶駆動制御部１８に待機信号を送出する。液晶駆動制御部１８は待機信号を受信すると、上記待機用のＰＷＭ信号を液晶素子５に送出開始する。また、マイコン１５は、フォーカス制御部１１に待機信号を送出する。フォーカス制御部１１は待機信号を受信すると、正規化されたフォーカスエラー信号をオフセット補正しないよう設定される。
【００５４】
そして、ステップＳ６２で、マイコン１５は、ＬＤ制御部１４に待機用のレーザパワーを表すレーザパワー目標信号を送出し、ＬＤ制御部１４の制御によりＬＤ７から待機用のレーザパワーでレーザビームが射出される。
【００５５】
待機用のレーザパワーは次のように設定される。テスト用の光ディスク装置において、液晶素子に上記待機用のＰＷＭ信号を印加し、フォーカスサーボはオフとした状態で、まず再生用のレーザパワーでＬＤからディスクにレーザビームを照射し、対物レンズをフォーカス方向に移動させ、正規化されたフォーカスエラー信号の振幅を測定する。以降、レーザパワーを序々に大きくしながら同様に正規化されたフォーカスエラー信号の振幅を測定してゆく。正規化されたフォーカスエラー信号の振幅は、ＲＦアンプで生成されるフォーカスエラー信号の振幅を反射光量で除したものとなり、再生用のレーザパワーよりレーザパワーを大きくしてゆくと、まずＲＦアンプで生成されるフォーカスエラー信号の振幅の増大により正規化されたフォーカスエラー信号の振幅も増大してゆくが、あるところで反射光量の増大により正規化されたフォーカスエラー信号の振幅が減少してゆく。そこで、正規化されたフォーカスエラー信号の振幅が最大となったときのレーザパワーを、待機用のレーザパワーとして設定する。なお、待機用のレーザパワーとしては、再生用のレーザパワーより大きく、上記で設定される待機用のレーザパワーよりも小さなレーザパワーに設定してもよい。また、本設定は製品毎に行われてもよい。
【００５６】
そして、ステップＳ６３で、マイコン１５は、フォーカス制御部１１にフォーカスサーボを開始するよう指示し、フォーカス制御部１１は、正規化されたフォーカスエラー信号を監視しながらアクチュエータ４により対物レンズ３をフォーカス方向にディスク１へ近づけてゆき、正規化されたフォーカスエラー信号が０となるとフォーカスサーボをオンとして、正規化されたフォーカスエラー信号を０とするような駆動信号を正規化されたフォーカスエラー信号に基づき生成し、駆動信号をアクチュエータ４に送出し、対物レンズ３がフォーカス方向に駆動制御される。レーザパワーが再生用のレーザパワーで液晶素子に待機用のＰＷＭ信号を印加すると、球面収差が大きくなり正規化されたフォーカスエラー信号の振幅が小さくなり、フォーカスサーボの安定性が悪化するので、再生用のレーザパワーよりも大きく設定された待機用のレーザパワーを用いることで正規化されたフォーカスエラー信号の振幅の低下を抑え、フォーカスサーボを安定化している。
【００５７】
次に、ステップＳ６４で、マイコン１５がフォーカス制御部１１からフォーカスサーボのオン完了を報告されると、マイコン１５はトラッキング制御部１２にトラッキングサーボを開始するよう指示し、トラッキング制御部１２はトラッキングサーボをオンとして、正規化されたトラッキングエラー信号が０となるよう駆動信号をアクチュエータ４に送出し、対物レンズ３がトラッキング方向に駆動制御される。
【００５８】
そして、ステップＳ６５で、マイコン１５は、液晶駆動制御部１８に非待機信号を送出する。液晶駆動制御部１８は非待機信号を受信すると、上記非待機用のＰＷＭ信号を液晶素子５に送出開始する。また、マイコン１５は、フォーカス制御部１１に非待機信号を送出する。フォーカス制御部１１は非待機信号を受信すると、正規化されたフォーカスエラー信号を上記非待機用のオフセット補正信号でオフセット補正するよう設定される。以降、フォーカス制御部１１は、非待機用のオフセット補正信号によりオフセット補正された正規化されたフォーカスエラー信号を０とするような駆動信号をオフセット補正された正規化されたフォーカスエラー信号に基づき生成し、駆動信号をアクチュエータ４に送出し、対物レンズ３がフォーカス方向に駆動制御される。
【００５９】
そして、ステップＳ６６で、マイコン１５は、ＬＤ制御部１４に再生用のレーザパワーを表すレーザパワー目標信号を送出し、ＬＤ制御部１４の制御によりＬＤ７から再生用のレーザパワーでレーザビームが射出される。
【００６０】
そして、ステップＳ６７で、前述と同様にアクセス動作が開始され、アクセス動作が完了すれば、ステップＳ６８で、前述と同様にＴＯＣの再生が開始される。
【００６１】
このように、起動時においてアクセス動作開始よりも前のフォーカスサーボ中は、待機用のＰＷＭ信号が液晶素子に印加され、そのときの液晶素子の駆動信号は、アクセス動作中および再生中に液晶素子に印加される非待機用のＰＷＭ信号に対応した駆動信号よりも小さいため、液晶素子の劣化をなるべく抑え、再生や記録の品質劣化を抑えることができる。
【００６２】
次に、ディスクのトラック再生および一時停止動作の、前述（図５）と別の動作例について以下図７のフローチャートに沿って説明する。
【００６３】
不図示の操作部においてトラックが指定され再生指示の操作がされると、ステップＳ７０〜Ｓ７５により、指定されたトラックの再生が開始される。ここは、前述した図５のステップＳ５０〜Ｓ５５と同様であるので説明を省く。
【００６４】
そして、不図示の操作部において一時停止の操作がされるまでは（ステップＳ７６のＮ）、再生が続行され、一時停止の操作がされると（ステップＳ７６のＹ）、ステップＳ７７に進む。
【００６５】
ステップＳ７７で、マイコン１５は、再生データの生成および出力を停止し、液晶駆動制御部１８に待機信号を送出する。液晶駆動制御部１８は待機信号を受信すると、上記待機用のＰＷＭ信号を液晶素子５に送出開始する。また、マイコン１５は、フォーカス制御部１１に待機信号を送出する。フォーカス制御部１１は待機信号を受信すると、正規化されたフォーカスエラー信号をオフセット補正しないよう設定される。以降、フォーカス制御部１１は、正規化されたフォーカスエラー信号を０とするような駆動信号を正規化されたフォーカスエラー信号に基づき生成し、駆動信号をアクチュエータ４に送出し、対物レンズ３がフォーカス方向に駆動制御される。
【００６６】
そして、ステップＳ７８で、マイコン１５は、ＬＤ制御部１４に上記待機用のレーザパワーを表すレーザパワー目標信号を送出し、ＬＤ制御部１４の制御によりＬＤ７から待機用のレーザパワーでレーザビームが射出される。これにより、前述したように液晶素子に待機用のＰＷＭ信号を印加することによる正規化されたフォーカスエラー信号の振幅の低下を抑えることができ、フォーカスサーボが安定化する。
【００６７】
このように再生の一時停止時のフォーカスサーボ中は、待機用のＰＷＭ信号が液晶素子に印加され、そのときの液晶素子の駆動信号は、アクセス動作中および再生中に液晶素子に印加される非待機用のＰＷＭ信号に対応した駆動信号よりも小さいため、液晶素子の劣化をなるべく抑え、再生や記録の品質劣化を抑えることができる。
【００６８】
なお、図２および図６で説明した起動時については、フォーカスサーボを確実にするという意味で、ディスク挿入後、マイコン１５が液晶駆動制御部１８およびフォーカス制御部１１に非待機用信号を送出し、液晶素子５を非待機用のＰＷＭ信号で駆動させ、オフセット補正信号として非待機用のオフセット補正信号を選択し、ＬＤ７から再生用のパワーでレーザビームを射出させ、フォーカスサーボおよびトラッキングサーボをオンとし、アクセス動作および再生を行うようにしてもよい。
【図面の簡単な説明】
【００６９】
【図１】は、本発明に係る光ディスク装置のブロック図である。
【図２】は、本発明に係る光ディスク装置における起動時の動作例を示すフローチャートである。
【図３】は、フォーカスエラー信号を示す図である。
【図４】は、最大値と最小値が対称でないフォーカスエラー信号を示す図である。
【図５】は、本発明に係る光ディスク装置におけるディスクのトラック再生および一時停止動作の動作例を示すフローチャートである。
【図６】は、本発明に係る光ディスク装置における起動時の別の動作例を示すフローチャートである。
【図７】は、本発明に係る光ディスク装置におけるディスクのトラック再生および一時停止動作の別の動作例を示すフローチャートである。
【符号の説明】
【００７０】
１    ディスク
２    光ピックアップ
３    対物レンズ
４    アクチュエータ
５    液晶素子
６    ハーフミラー
７    レーザダイオード
８    受光部
９    パワーモニタ部
１０    ＲＦアンプ
１１    フォーカス制御部
１２    トラッキング制御部
１３    ＬＤドライバ
１４    ＬＤ制御部
１５    マイコン
１６    スレッドモータ
１７    スレッドモータドライバ
１８    液晶駆動制御部
【図１】
2007234147.tif 000003
【図２】
2007234147.tif 000004
【図３】
2007234147.tif 000005
【図４】
2007234147.tif 000006
【図５】
2007234147.tif 000007
【図６】
2007234147.tif 000008
【図７】
2007234147.tif 000009